(57)【特許請求の範囲】
【請求項１】
電力系統送電線の相電流，相電圧により回線選択保護等の主保護のデジタルリレー演算を行い、該演算により、故障回線を遮断して前記送電線から切離する主保護の機能と、
前記送電線の線間電流、線間電圧及び方向判別用の極性電圧により後備保護の方向距離継電器保護のデジタルリレー演算を行い、該演算により、前記主保護のバックアップ保護を行う後備保護の機能と
を有する主後一体形のデジタル形保護継電装置であって、
回線毎の各相の相電流を計測する計器用変流器ユニットと、
該計器用変流器ユニットにより計測された各相のアナログの計測電流が供給される回線毎の電流検出用の補助変流器ユニットと、
該各補助変流器ユニットの各相のアナログの相電流検出信号が、アナログフィルタのフィルタ処理及びゲインコントローラのゲイン調整が施された後、サンプリング回路によりサンプルホールドされて信号選択用のマルチプレクサに供給される手段と、
回線毎の各相の相電圧を計測する計器用変圧器ユニットと、
該計器用変圧器ユニットにより計測されたアナログの計測電圧が供給され、各相のアナログの相電圧検出信号が計測される一方の補助変圧器ユニットの各変圧器と、
前記計器用変圧器ユニットにより計測されたアナログの計測電圧が供給され、前記方向距離継電器保護の極性電圧の相電圧が計測され、各相間のアナログの線間電圧検出信号が計測される他方の補助変圧器ユニットの各変圧器と、
前記相電圧検出信号及び前記線間電圧検出信号が、アナログフィルタのフィルタ処理及びゲインコントローラのゲイン調整が施された後、サンプリング回路によりサンプルホールドされてマルチプレクサに供給される手段と、
前記マルチプレクサにより、前記相電流検出信号、前記相電圧検出信号及び前記線間電圧検出信号が、順に選択されてＡ／Ｄ変換器にくり返し供給される手段と、
前記Ａ／Ｄ変換器によりそれぞれデジタル信号にＡ／Ｄ変換してマイクロコンピュータ構成の演算回路部に供給される手段とを備え、
前記演算回路部に、
前記相電流検出信号及び前記相電圧検出信号のデジタル信号により、各回線の相電流、相電圧を検出して前記主保護のデジタルリレー演算を行う手段と、
前記相電流検出信号及び前記相電圧検出信号のベクトル合成のデジタル演算を行い、各回線の線間電流及び線間電圧を求める演算手段と、
前記極性電圧を、送電線の線間電流及び線間電圧（スケール大）のアナログ入力を省き、前記主保護のアナログ入力を前記後備保護にも用い、Ａ／Ｄ変換されたアナログ入力の前記線間電圧検出信号から生成される手段と、
前記演算手段により求めた線間電流及び線間電圧と、前記極性電圧とにより、前記方向距離継電器保護のデジタルリレー演算を行う手段と
を設けたことを特徴とするデジタル形保護継電装置。
【発明の詳細な説明】
【０００１】
【発明の属する技術分野】
本発明は、平行２回線送電線等の電力系統送電線の主保護のデジタル継電器と、後備保護のデジタル継電器とを一体化した主後一体形のデジタル形保護継電装置に関する。
【０００２】
【従来の技術】
従来、電力系統送電線においては、主保護用の保護継電器としての例えば回線選択継電器と、後備保護用の保護継電器としての方向距離継電器とを設け、短絡事故が発生したときに、主保護とそのバックアップの後備保護とを別々の保護継電器で行って故障回線を遮断して送電線から切離すことが行われている。
【０００３】
そして、マイクロコンピュータを用いたデジタルリレーの出現に伴い、前記の主保護及び後備保護の保護継電器は、デジタルリレーを用いてデジタル形に形成される傾向にある。
【０００４】
【発明が解決しようとする課題】
前記従来のように主保護と後備保護とを別々の保護継電器で行う場合、近年の保護装置の小形化等の要求に応えることができない。
【０００５】
そこで、近年のデジタルリレーの複合化技術の進歩に基づき、デジタルリレーを用いて主保護と後備保護とを一体化し、主後一体形の１台のデジタル形継電装置により、小型化等を図って送電線の主保護及び後備保護を行うことが考えられる。
【０００６】
この場合、装置内では、アナログ入力の電流，電圧をＡ／Ｄ変換してマイクロコンピュータの演算回路部に供給し、この演算回路部により、回線選択保護（主保護）、及び方向距離継電器保護（後備保護）のデジタルリレー演算をする。
【０００７】
そして、これらの演算によって故障回線の発生を検出すると、その回線の遮断器を開放し、故障回線を遮断して切離す。
【０００８】
ところで、短絡事故に対する回線選択保護にあっては、いわゆる平衡継電方式により、送電線の各回線の電流分布の不平衡から故障回線を検出するため、その検出に相電流及び相電圧（母線電圧）が必要である。
【０００９】
また、方向距離継電器保護にあっては、線間電圧と線間電流とにより故障点までの系統インピーダンスを測定し、その方向（位相特性）により短絡事故を検出するため、相間電流，相間電圧と方向判別の極性電圧とが必要である。
【００１０】
したがって、平行２回線送電線の場合、前記のアナログ入力の電流，電圧として、主保護に、回線毎の相電流と、相電圧（系統の母線電圧）を要し、後備保護に、回線毎の線間電流及び系統の線間電圧と、方向判別用の極性電圧とを要し、この極性電圧は系統の線間電圧である。
【００１１】
なお、地絡保護等も行うとすれば、主保護及び後備保護に零相の電流も必要になる。
【００１２】
また、事故が発生すると、一般に、電流要素は増加するが電圧要素は極端に減少し、電圧要素の計測誤差が大きくなってデジタルリレー演算の演算誤差が大きくなることから、電圧要素である前記の相電圧，線間電圧については、２段階のスケール（レンジ）でＡ／Ｄ変換してその結果を切換えて用いる必要がある。
【００１３】
そのため、回線当りの前記のアナログ入力の電流，電圧の数（チャンネル数）は、零相の相電流，線間電流も考慮すると、つぎの表１に示すように、２０チャンネルにもなり、主後一体形の保護を行うとすれば、そのデジタル形保護継電装置のアナログ入力数（チャンネル数）が極めて多くなる問題点がある。
【００１４】
【表１】
0003829614.tif 000002
【００１５】
なお、表１の相電流，相電圧のＡ，Ｂ，Ｃは相を示し、線間電流，線間電圧のＡ，Ｂ，ＣはＡとＢ，ＢとＣ，ＣとＡの線間を示す。
【００１６】
また、実際には、相電流、線間電流は回線毎に入力されるが、相電圧，線間電圧は各回線に共通である。
【００１７】
つぎに、後備保護としての方向距離継電器保護にあっては、モー要素の特性式が、一般に、つぎの数１のベクトル式で示され、式中のＺは整定インピーダンス、Ｉは線間電流，Ｖは線間電圧，Ｖｐは方向判別用の極性電圧（線間電圧）である。
【００１８】
【数１】
0003829614.tif 000003
【００１９】
そして、このモー要素の位相特性は、図５の方向距離継電器の特性図に示すように方向性（極性）があり、モー要素の特性円イとリアクタンス要素の整定直線ロとで囲まれた範囲が動作領域である。
【００２０】
なお、図中のＲ，Ｌの直交する２軸は、抵抗成分，リアクタンス成分の軸である。
【００２１】
また、モー要素の方向特性は極性電圧Ｖｐの極性で定まり、その動作値特性は線間電圧Ｖの大きさで定まる。
【００２２】
そして、線間電圧Ｖを表１のアナログ入力の各線間電圧とし、極性電圧は、アナログ入力数を少なくするため、専用の線間電圧をアナログ入力する代わりに、主保護のアナログ入力の相電圧をデジタル演算でベクトル合成して得ることが考えられるが、この場合、とくに、この装置が設けられる送電線の端部から１００ｍ以内の系統事故（至近端事故）が発生したときに、アナログ入力の相電圧が極端に小さくなり、その誤差が大きくなることから、図６の（ａ），（ｂ）に示すように、例えば相電圧ＶA，ＶBをベクトル合成して得た線間電圧ＶAB’は、それぞれの破線の真の線間電圧ＶABの位相からずれる。
【００２３】
すなわち、相電圧のベクトル合成で極性電圧Ｖｐとしての線間電圧を得る場合、一般的なデジタルリレーと同様、系統基本波の電気角３０°毎に系統の相電圧の瞬時値をサンプリングし、フーリエ演算によって、その余弦（ｃｏｓ）成分，正弦（ｓｉｎ）成分を求めてベクトル合成するため、このベクトル合成で得られた線間電圧に、相電圧を検出する変圧器での位相誤差及びＡ／Ｄ変換の量子化誤差等が含まれる。
【００２４】
そして、系統正常時は相電圧が定格電圧で十分に大きいため、前記の誤差が殆ど影響しないが、系統事故により相電圧が小さくなると、前記の誤差の影響が大きくなり、ベクトル合成で得られた線間電圧の位相は時々刻々変動して、図６の（ａ），（ｂ）のように真の線間電圧の位相からずれる。
【００２５】
そのため、極性電圧Ｖｐとしての線間電圧を相電圧のベクトル合成から求めると、方向距離継電器保護の特性方向（極性）を誤判別し、後備保護の誤動作を引起こすおそれがある。
【００２６】
本発明は、この種の主後一体形のデジタル形保護継電装置において、アナログ入力数を極力少なくし、かつ、方向距離継電器保護の方向判別用の極性電圧の位相ずれを防止してその誤判別を防止し、後備保護の誤動作を防止して信頼性を向上することを課題とする。
【００２７】
【課題を解決するための手段】
前記の課題を解決するために、本発明は、電力系統送電線の相電流，相電圧により回線選択保護等の主保護のデジタルリレー演算を行い、該演算により、故障回線を遮断して前記送電線から切離する主保護の機能と、
前記送電線の線間電流、線間電圧及び方向判別用の極性電圧により後備保護の方向距離継電器保護のデジタルリレー演算を行い、該演算により、前記主保護のバックアップ保護を行う後備保護の機能と
を有する主後一体形のデジタル形保護継電装置であって、
回線毎の各相の相電流を計測する計器用変流器ユニットと、
該計器用変流器ユニットにより計測された各相のアナログの計測電流が供給される回線毎の電流検出用の補助変流器ユニットと、
該各補助変流器ユニットの各相のアナログの相電流検出信号が、アナログフィルタのフィルタ処理及びゲインコントローラのゲイン調整が施された後、サンプリング回路によりサンプルホールドされて信号選択用のマルチプレクサに供給される手段と、
回線毎の各相の相電圧を計測する計器用変圧器ユニットと、
該計器用変圧器ユニットにより計測されたアナログの計測電圧が供給され、各相のアナログの相電圧検出信号が計測される一方の補助変圧器ユニットの各変圧器と、
前記計器用変圧器ユニットにより計測されたアナログの計測電圧が供給され、前記方向距離継電器保護の極性電圧の相電圧が計測され、各相間のアナログの線間電圧検出信号が計測される他方の補助変圧器ユニットの各変圧器と、
前記相電圧検出信号及び前記線間電圧検出信号が、アナログフィルタのフィルタ処理及びゲインコントローラのゲイン調整が施された後、サンプリング回路によりサンプルホールドされてマルチプレクサに供給される手段と、
前記マルチプレクサにより、前記相電流検出信号、前記相電圧検出信号及び前記線間電圧検出信号が、順に選択されてＡ／Ｄ変換器にくり返し供給される手段と、
前記Ａ／Ｄ変換器によりそれぞれデジタル信号にＡ／Ｄ変換してマイクロコンピュータ構成の演算回路部に供給される手段とを備え、
前記演算回路部に、
前記相電流検出信号及び前記相電圧検出信号のデジタル信号により、各回線の相電流、相電圧を検出して前記主保護のデジタルリレー演算を行う手段と、
前記相電流検出信号及び前記相電圧検出信号のベクトル合成のデジタル演算を行い、各回線の線間電流及び線間電圧を求める演算手段と、
前記極性電圧を、送電線の線間電流及び線間電圧（スケール大）のアナログ入力を省き、前記主保護のアナログ入力を前記後備保護にも用い、Ａ／Ｄ変換されたアナログ入力の前記線間電圧検出信号から生成される手段と、
前記演算手段により求めた線間電流及び線間電圧と、前記極性電圧とにより、前記方向距離継電器保護のデジタルリレー演算を行う手段とを設ける。
【００２８】
したがって、主保護に必要な送電線の相電流，相電圧は、アナログ入力されてＡ／Ｄ変換され、主保護のデジタルリレー演算に用いられるが、後備保護としての方向距離継電器保護のデジタルリレー演算に必要な送電線の線間電流，線間電圧は、主保護のためにアナログ入力されてＡ／Ｄ変換された送電線の相電流，相電圧をデジタル演算でベクトル合成して得られる。
【００２９】
また、方向距離継電器保護の方向判別に必要な極性電圧は、送電線の線間電圧のアナログ入力から専用の電圧として得られる。
【００３０】
そのため、アナログ入力回路の入力が、送電線の相電流，相電圧及び極性電圧専用の線間電圧になり、少なくとも送電線の線間電流は入力されず、アナログ入力回路のアナログ入力数が極めて少なくなる。
【００３１】
また、方向判別用の極性電圧がアナログ入力の専用の線間電圧により形成され、相電圧のベクトル合成等の演算で形成されたりしないため、至近端事故であっても極性電圧の位相ずれがなく、特性方向の誤判別が防止されて後備保護の誤動作が防止され、信頼性が向上する。
【００３２】
【発明の実施の形態】
本発明の実施の１形態につき、図１ないし図４を参照して説明する。
まず、図１は平行２回線送電線のデジタル形保護継電装置の単線結線図であり、抵抗接地の送電線１の電源端Ｔａ，負荷端Ｔｂ間の平行２回線２ａ，２ｂは、例えば電源端Ｔａに設けられた回線毎の計器用変流器ユニット３により、Ａ，Ｂ，Ｃ各相の相電流ＩA，ＩB，ＩC が計測され、両変流器ユニット３の各相のアナログの計測電流が本体装置４のアナログ入力回路５の回線毎の電流検出用の補助変流器ユニット６に供給される。
【００３３】
そして、変流器ユニット３，６は図２に示すように形成され、変流器ユニット３の相毎の変流器３ａ，３ｂ，３ｃの計測電流の信号は変流器ユニット６の各相の補助変流器６ａ，６ｂ，６ｃに供給されて適当な電圧信号に変換される。
【００３４】
さらに、各相の電流から回線の零相電流Ｉ0 も検出するため、補助変流器６ａ〜６ｃを通った各相の計測信号は補助変流器６ｄで加算されてベクトル合成される。
【００３５】
そして、補助変流器６ａ〜６ｃの各相のアナログの相電流検出信号Ｓ（ＩA），Ｓ（ＩB），Ｓ（ＩC）及び補助変流器６ｄのアナログの零相電流検出信号Ｓ（Ｉ0 ）は、アナログ入力回路５のアナログフィルタ７のフィルタ処理及びゲインコントローラ８のゲイン調整が施された後、サンプリング回路（図示せず）によりサンプルホールドされて信号選択用のマルチプレフサ９に供給される。
【００３６】
一方、電源端Ｔ1の計器用変圧器ユニット１０は電源端Ｔ1の各相の系統電圧を両回線の各相の相電圧として計測し、アナログの計測電圧を電圧検出用の補助変圧器ユニット１１，１２に供給する。
【００３７】
この変圧器ユニット１１，１２は図３に示すように形成される。なお、図３においては、変圧器ユニット１０を図示省略して変圧器ユニット１１，１２と送電線１の各相との関係を示し、１’は送電線１の接地抵抗である。
【００３８】
そして、変圧器ユニット１１の各変圧器１１ａ，１１ｂ，１１ｃにより、両回線の各相の相電圧として、送電線１の各相電圧ＶA，ＶB，ＶC が計測され、変圧器ユニット１２の各変圧器１２ａ，１２ｂ，１２ｃにより、方向距離継電器保護の極性電圧Ｖｐとして、送電線１の相電圧ＶAB，ＶBC，ＶCAが計測される。
【００３９】
さらに、変圧器１１ａ〜１１ｃの各相のアナログの相電圧検出信号Ｓ（ＶA），Ｓ（ＶB），Ｓ（ＶC）及び変圧器１２ａ〜１２ｃの各相間のアナログの線間電圧検出信号Ｓ（ＶAB），Ｓ（ＶBC），Ｓ（ＶCA）は、変圧器ユニット１１，１２に接続されたアナログフィルタ７，ゲインコントローラ８の処理が施された後、サンプリング回路（図示せず）によりサンプルホールドされてマルチプレクサ９に供給される。
【００４０】
なお、相電圧ＶA，ＶB，ＶC については、従来と同様にスケール大，スケール小のものが必要であることから、例えばゲインコントローラ８によりスケール大とスケール小の２種類の相電圧検出信号Ｓ（ＶA）〜Ｓ（ＶC）が形成される。
【００４１】
そして、マルチプレクサ９は電流検出信号Ｓ（ＩA）〜Ｓ（ＩC），Ｓ（Ｉ0） 及び電圧検出信号Ｓ（ＶA）〜Ｓ（ＶC），Ｓ（ＶAB）〜Ｓ（ＶCA）を順に選択してＡ／Ｄ変換器１３に供給することをくり返し、この変換器１３のＡ／Ｄ変換によりそれぞれデジタル信号に変換してマイクロコンピュータ構成の演算回路部１４に供給する。
【００４２】
この演算回路部１４は、予め設定された保護継電器の主保護及び後備保護のプログラムを実行し、送電線１の相電流ＩA，ＩB，ＩC，相電圧ＶA，ＶB，ＶCに基づく回線選択保護等の主保護のデジタルリレー演算により、故障回線を遮断して送電線１から切離す主保護の機能と、送電線１の線間電流ＩAB，ＩBC，ＩCA，線間電圧ＶAB，ＶBC，ＶCA及び方向判別用の極性電圧Ｖｐに基づく方向距離継電器保護のデジタルリレー演算により、主保護のバックアップ保護を行う後備保護の機能とを有する。
【００４３】
そして、電流検出信号Ｓ（ＩA）〜Ｓ（ＩC），Ｓ（Ｉ0 ）及び電圧検出信号Ｓ（ＶA）〜Ｓ（ＶC）のデジタル信号により、両回線の相電流ＩA〜ＩC，相電圧ＶA〜ＶCを検出して主保護としての回線選択保護のデジタルリレー演算を実行し、短絡の故障回路が発生すると、故障回線の遮断器１５をトリップ開放して遮断し、送電線１から切離す。
【００４４】
つぎに、主保護のアナログ入力を後備保護に共用して、後備保護としての方向距離継電器保護のデジタルリレー演算を行うため、演算回路部１４は電流検出信号Ｓ（ＩA）〜Ｓ（ＩC），電圧検出信号Ｓ（ＶA）〜Ｓ（ＶC）のベクトル合成のデジタル演算（ＩA−ＩB，ＩB−ＩC，ＩC−ＩA，ＶA−ＶB，ＶB−ＶC，ＶC−ＶA）を行って、回線２ａ，２ｂの線間電流ＩAB，ＩBC，ＩCA及び線間電圧ＶAB，ＶBC，ＶCAを求める。
【００４５】
一方、極性電圧Ｖｐについては、Ａ／Ｄ変換された電圧検出信号Ｓ（ＶAB）〜Ｓ（ＶCA）を用いる。
【００４６】
このとき、極性電圧Ｖｐが、方向判別（極性判別）にのみ用いられるため、電圧検出信号Ｓ（ＶAB）〜Ｓ（ＶCA）は、ゲインコントローラ８のゲイン調整又はＡ／Ｄ変換器１３のレンジ設定により、方形波の入力に加工されてＡ／Ｄ変換される。
【００４７】
そして、演算回路部１４は、演算で求めた線間電流ＩAB〜ＩCA，線間電圧ＶAB〜ＶCAと、アナログ入力の極性電圧Ｖｐとにより、方向距離継電器保護のデジタルリレー演算を行い、このデジタルリレー演算に基づき、故障回線の発生時、主保護から若干遅れて故障回線を検出し、主保護でその遮断器１５がトリップ開放されていなければ、直ちにその遮断器１５をトリップ開放し、主保護のバックアップ保護を行う。
【００４８】
この場合、主保護のアナログ入力を後備保護にも用いるため、回線当りのアナログ入力の電流，電圧は、つぎの表２に示すように１３チャンネルとなり、表１の２０チャンネルより著しく少なくなる。
【００４９】
【表２】
0003829614.tif 000004
【００５０】
すなわち、この場合は前記表１の後備保護の線間電流及びスケール大，小の線間電圧の計１０チャンネルのアナログ入力が省かれるため、極性電圧Ｖｐの専用の線間電圧ＶAB〜ＶCAをアナログ入力しても、全体としては表１より７チャンネル減少してアナログ入力数が少なくなる。
【００５１】
そのため、アナログ入力数を極力少なくした主後一体形のデジタル保護継電装置を提供することができる。
【００５２】
なお、相電圧のアナログ入力は両回線に共用でき、相電圧及び線間電圧のみ回線毎に入力される。
【００５３】
つぎに、極性電圧Ｖｐは実際に検出されてアナログ入力した線間電圧ＶAB〜ＶCAからなり、演算回路部１４はベクトル合成の演算等をすることなく、Ａ／Ｄ変換器１３の極性電圧Ｖｐのデジタル信号の極性から特性方向（極性）を検出する。
【００５４】
この場合、至近端事故が発生しても、Ａ／Ｄ変換器１３の極性電圧Ｖｐのデジタル信号から演算回路部１４が検出する特性方向は、図４の極性電圧Ｖｐに示すように、図中の破線の真の線間電圧ＶABに一致し、相電圧のベクトル合成の演算等が不要で演算が簡単かつ迅速になり、しかも、極性電圧Ｖｐの位相のずれがないことから、方向距離継電器保護の特性方向（極性）の誤検出がなく、後備保護の誤動作等を招くことがなく、信頼性の高いデジタル形保護継電器を提供することができる。
【００５５】
したがって、入力チャンネル数が少ない小型でしかも信頼性の高い主後一体形のデジタル形保護継電器を提供することができる。
【００５６】
ところで、主保護により短絡だけでなく地絡の回線選択保護も行い、後備保護により短絡保護（距離継電器保護）だけでなく地絡の方向継電器保護も行うようにしてもよく、この場合、地絡の回線選択保護は両回線の零相電流の差と零相電圧とに基づいて行われ、地絡方向継電器保護は零相電圧と零相電流との位相関係の検出に基づいて行われる。
【００５７】
そして、本発明は主保護が回線選択保護以外の保護であっても、その保護が相電流ＩA〜ＩC，相電圧ＶA〜ＶCを用いたデジタルリレー演算で行われる限り、前記実施の形態と同様にして適用することができ、電力系統送電線が平行２回線のものに限られないのは勿論である。
【００５８】
すなわち、本発明は種々の電力系統送電線の主保護と後備保護の機能を有する主後一体形のデジタル形保護継電装置に適用することができる。
【００５９】
【発明の効果】
本発明は、以下に記載する効果を奏する。
主保護に必要な送電線１の相電流ＩA，ＩB，ＩC，相電圧ＶA，ＶB，ＶCは、アナログ入力されてＡ／Ｄ変換され、デジタルリレー演算に用いられるが、後備保護としての方向距離継電器保護のデジタルリレー演算に必要な送電線１の線間電流ＩAB，ＩBC，ＩCA，線間電圧ＶAB，ＶBC，ＶCAは、主保護のアナログ入力の相電流ＩA〜ＩC，相電圧ＶA〜ＶCを利用し、これらの電流ＩA〜ＩC，電圧ＶA〜ＶCからデジタル演算でベクトル合成して得られる。
【００６０】
また、方向距離継電器保護の方向判別に必要な極性電圧Ｖｐは、送電線の線間電圧の専用のアナログ入力から得られる。
【００６１】
この場合、アナログ入力回路５のアナログ入力が、送電線の相電流ＩＡ〜ＩＣ，相電圧ＶＡ〜ＶＣ及び極性電圧Ｖｐの専用の線間電圧ＶＡＢ〜ＶＣＡからなり、少なくとも送電線１の線間電流ＩＡＢ〜ＩＣＡのアナログ入力を省くことができ、アナログ入力回路５のアナログ入力数を著しく少なくすることができる。
【００６２】
また、極性電圧Ｖｐが計測されたアナログ入力の線間電圧ＶAB〜ＶCAをＡ／Ｄ変換して形成され、相電圧ＶA〜ＶCのベクトル合成等の演算で形成されたりしないため、方向距離継電器保護の方向特性が著しく改善され、至近端事故であっても極性電圧Ｖｐの位相ずれがなく、特性方向の誤判別がなく、後備保護の誤動作を防止して信頼性を著しく向上することができる。
【００６３】
したがって、アナログ入力数が少なく、小型で、しかも、いわゆる至近端事故が発生しても、後備保護の方向制御用の極性電圧Ｖｐの位相ずれがなく、その方向特性が著しく改善されて信頼性が極めて高い主後一体形のデジタル形保護継電装置を提供することができる。
【図面の簡単な説明】
【図１】本発明の実施の１形態の単線結線図である。
【図２】図１の一部の詳細な３相結線図である。
【図３】図１の他の一部の詳細な３相結線図である。
【図４】図１の後備保護の極性電圧の特性図である。
【図５】方向距離継電器の特性図である。
【図６】（ａ），（ｂ）はそれぞれ相電圧のベクトル合成で求めた場合の後備保護の極性電圧の特性図である。
【符号の説明】
１  送電線
２ａ，２ｂ  回線
３，６  変流器ユニット
５  アナログ入力回路
１０，１１，１２  変圧器ユニット
１３  Ａ／Ｄ変換器
１４  演算回路部
【図１】
0003829614.tif 000005
【図２】
0003829614.tif 000006
【図３】
0003829614.tif 000007
【図４】
0003829614.tif 000008
【図５】
0003829614.tif 000009
【図６】
0003829614.tif 000010